(57)【要約】【課題】製造コストを低くし、製造時間を大幅短縮させ、着用時に揺れることなく安定して着用することができ、雨に濡れず、保管時にも適切な掛け具に容易に掛けて保管することができる帽子傘及びその製造方法を提供する。【解決手段】前方開口になっており、防水布からなるフード部と、フード部の下端に連結されており、防水布からなる切頭円錐状の胴体保護部と、胴体保護部の下端縁部に付着布によって付着された環状の弾性部材とから構成されている帽子傘の製造方法は、生地を加工して中央孔、円形縁部、及び中央孔から円形縁部に行くほど拡張される形状の一定の角度を有する一つ以上の切開部を有する基布を形成する工程と、基布の切開部の対応切開縁部を連結して切頭円錐状の胴体保護部を形成する工程と、胴体保護部の縁部に付着布によって環状の弾性部材を付着させる工程とを含む。【選択図】　　　　図３
2004027400.tif 000002
【特許請求の範囲】
【請求項１】
前方開口になっており、防水布からなるフード部（２０）と、前記フード部（２０）の下端に連結されており、防水布からなる頂部を切り落とした切頭円錐状の胴体保護部（２１）と、前記胴体保護部（２１）の下端縁部に付着布（２２ａ）によって付着された環状の弾性部材（２２）とから構成されている帽子傘において、
前記胴体保護部（２１）が、生地を加工して中央孔（２１ａ）、円形縁部（２１ｂ）、及び中央孔（２１ａ）から円形縁部（２１ｂ）に行くほど拡張される形状の一定角度を有する一つ以上の切開部（２１ｃ）を有する基布（２１’）を設け、前記基布（２１’）の切開部（２１ｃ）の対応切開縁部（２１ｄ、２１ｄ）を連結して切頭円錐状にされていることを特徴とする帽子傘。
【請求項２】
前記胴体保護部（２１）の裏面両側に、着用者の両肩に固定される肩紐（２３）が設けられていることを特徴とする請求項１記載の帽子傘。
【請求項３】
前記フード部（２０）の前方開口の上縁及び両側縁から前方に一定の長さで顔面保護部（２４）が延長されていることを特徴とする請求項１記載の帽子傘。
【請求項４】
フード部（２０）の前方開口の下部を隠すために、一端がフード部（２０）の前方開口の下方一側に固定されており、他端の裏面に接続部材（２５ａ）が設けられている顎隠し部（２５）が設けられており、フード部（２０）の前方開口の下方他側に前記顎隠し部（２５）の接続部材（２５ａ）と接続する対応接続部材（２５ｂ）が設けられていることを特徴とする請求項１記載の帽子傘。
【請求項５】
前記胴体保護部（２１）の縁部にフック（２６）が連結具（２７）によって連結されていることを特徴とする請求項１記載の帽子傘。
【請求項６】
前方開口になっており、防水布からなるフード部（２０）と、前記フード部（２０）の下端に連結されており、防水布からなる頂部を切り落とした切頭円錐状の胴体保護部（２１）と、前記胴体保護部（２１）の下端縁部に付着布（２２ａ）によって付着された環状の弾性部材（２２）とから構成されている帽子傘の製造方法において、
生地を加工して中央孔（２１ａ）、円形縁部（２１ｂ）及び中央孔（２１ａ）から円形縁部（２１ｂ）に行くほど拡張される形状の一定の角度を有する一つ以上の切開部（２１ｃ）を有する基布（２１’）を形成する工程と、
前記基布（２１’）の切開部（２１ｃ）の対応切開縁部（２１ｄ、２１ｄ）を連結して切頭円錐状の胴体保護部（２１）を形成する工程と、
前記胴体保護部（２１）の縁部に付着布（２２ａ）によって環状の弾性部材（２２）を付着させる工程と
によって、前記胴体保護部（２１）及び弾性部材（２２）が製造されることを特徴とする帽子傘の製造方法。
【発明の詳細な説明】
【０００１】
【発明の属する技術分野】
本発明は、雨を避けるために頭部に着用する帽子傘及びその製造方法に関し、より詳細には、簡単且つ安価で製造することができ、製造時間も大幅短縮することができ、着用時に揺れることなく安定して着用することができ、フード部の前方開口を通して雨に濡れず、保管の際にも適切な掛け具に掛けて保管することができる帽子傘及びその製造方法に関する。
【０００２】
【従来の技術】
従来、本発明者は、図１に示すように、雨を避けるために頭部に着用する帽子傘を生産、販売したことがある。
【０００３】
前記従来の帽子傘は、前方開口になっており、防水布からなるフード部１０と、前記フード部１０の下端に連結されており、防水布からなる切頭円錐状の胴体保護部１１と、前記胴体保護部１１の下端の縁部に付着布１２ａによって付着された環状の弾性部材１２とから構成されている。
【０００４】
前記従来の帽子傘は、フード部１０と、弾性部材１２付き胴体保護部１１をそれぞれ別に製造した後、フード部１０の下端と胴体保護部１１の上端とを縫い付けることにより、最終製品が出来上がる。
【０００５】
次に、前記従来の帽子傘の製造方法を図２ａ〜図２ｄに基づいて説明する。
【０００６】
図２ａに示すように、まず、防水布の生地を加工して中央孔１１ａと円形縁部１１ｂからなる基布１１’を作る。その後、図２ｂに示すように、基布１１’の円形縁部１１ｂに付着布１２ａを用いて環状の弾性部材１２を設ける。この際、弾性部材１２を付着布１２ａの内面に位置させ、付着布１２ａを’コ’字状に内側に折り曲げ、付着布１２ａの上下両端の間に基布１１’の円形縁部１１ｂを挿入しながら縫い付けることにより、弾性部材１２を基布１１’の円形縁部１１ｂに構成する。そして、図２ｃに示すように、上型１と下型２を用いて基布１１’を加熱、加圧することにより、図２ｄに示す切頭円錐状の胴体保護部１１を形成する。
【０００７】
このような工程によって製造された帽子傘は、両手を使うことなく頭部に着用することができるため、使用が便利であるとともに、弾性部材１２を小さく畳んで体積を減らすことができるため、保管及び携帯が便利であるという利点もある。
【０００８】
ところが、従来の帽子傘は、切頭円錐状の胴体保護部１１を形成するにおいて、高価の金型を製作し且つ金型作業を行わなければならないので、その製造コスト、人力及び製造時間が多くかかるという問題点がある。しかも、帽子傘は子供用、青少年用、成人用などそれぞれ規格を異にして製造しなければならないため、その規格に合う金型の製作が必要となり、さらに製造コストが高くなる。
【０００９】
また、従来の帽子傘は、使用時に胴体保護部１１が風に揺れるか、或いは隣接した傘などとの接触によって揺れてしまい、雨を完全に遮断することができないという問題点もある。さらに、フード部１０の前方開口を通して雨で顔が濡れてしまうという問題点があり、保管時にも釘のような掛け具に掛けられないという問題点があった。
【００１０】
【発明が解決しようとする課題】
本発明は、かかる従来の技術の問題点を解決するためのもので、その目的は金型を用いることなく製作して製造コストをより低くし、製造時間を大幅短縮させる帽子傘を提供することにある。
【００１１】
本発明の他の目的は、着用時に風に揺れるか、或いは隣接した他人の傘などにぶつかっても揺れることなく、安定して着用できるようにした帽子傘を提供することにある。
【００１２】
本発明のさらに他の目的は、フード部の前方開口を通して雨に濡れないようにした帽子傘を提供することにある。
【００１３】
本発明のさらに他の目的は、保管の際に掛け具に容易に掛けて保管できるようにした帽子傘を提供することにある。
【００１４】
本発明のさらに他の目的は、金型を用いることなく製作して製造コストを低くし、製造時間を大幅短縮させる帽子傘の製造方法を提供することにある。
【００１５】
【課題を解決するための手段】
上記目的を達成するための本発明の帽子傘は、前方開口になっており、防水布からなるフード部と、前記フード部の下端に連結されており、防水布からなる切頭円錐状の胴体保護部と、前記胴体保護部の下端縁部に付着布によって付着された環状の弾性部材とから構成されている帽子傘において、前記胴体保護部が、生地を加工して中央孔、円形縁部、及び中央孔から円形縁部に行くほど拡張される形状の一定角度を有する一つ以上の切開部を有する基布を形成し、前記基布の切開部の対応切開縁部を連結して切頭円錐状にされていることを特徴とする。
【００１６】
前記他の目的を達成するために、本発明の帽子傘は、前記胴体保護部の裏面両側に、着用者の両肩に固定される肩紐が設けられている。
【００１７】
前記さらに他の目的を達成するための本発明の帽子傘は、前記フード部の前方開口の上縁及び両側縁から前方に一定の長さで顔面保護部が延長されており、フード部の前方開口の下部を隠すために、一端がフード部の前方開口の下方一側に固定されており、他端の裏面に接続部材が設けられている顎隠し部が構成されており、フード部の前方開口の下方他側に前記顎隠し部の接続部材と接続する対応接続部材が設けられている。
【００１８】
前記さらに他の目的を達成するために、本発明の帽子傘は、前記胴体保護部の縁部にフックが連結具によって連結されている。
【００１９】
前記さらに他の目的を達成するために、本発明の帽子傘は、前方開口になっており、防水布からなるフード部と、前記フード部の下端に連結されており、防水布からなる切頭円錐状の胴体保護部と、前記胴体保護部の下端縁部に付着布によって付着された環状の弾性部材とから構成されている帽子傘の製造方法において、前記胴体保護部及び弾性部材が、生地を加工して中央孔、円形縁部、及び中央孔から円形縁部に行くほど拡張される形状の一定の角度を有する一つ以上の切開部を有する基布を形成する工程と、前記基布の切開部の対応切開縁部を連結して切頭円錐状の胴体保護部を形成する工程と、前記胴体保護部の縁部に付着布によって環状の弾性部材を付着させる工程とによって製造されることを特徴とする。
【００２０】
【発明の実施の形態】
以下、本発明を添付図に基づいて詳細に説明する。
【００２１】
図３は本発明の帽子傘を示す斜視図、図４は本発明の帽子傘を着用した状態を示す一部切開斜視図である。
【００２２】
同図に示すように、本発明の帽子傘は、前方開口になっており、防水布からなるフード部２０と、前記フード部１０の下端に連結されており、防水布からなる切頭円錐状の胴体保護部２１と、前記胴体保護部２１の下端縁部に付着布２２ａによって付着された環状の弾性部材２２とから構成されている。弾性部材２２は従来同様、胴体保護部を折り畳むことを可能とすると共に、取り出した時は弾性により形状を復活し、胴体保護部の強度を補強する。
【００２３】
前記フード部２０、胴体保護部２１及び付着布２２ａは様々な材質で形成することができるが、防水性能に優れ且つ破れにくい合成樹脂材で形成することが好ましい。
【００２４】
本発明の前記胴体保護部２１は、図５ａに示すように、生地を加工して中央孔２１ａ、円形縁部２１ｂ、及び中央孔２１ａから円形縁部２１ｂに行くほど拡張される形状の一定角度を有する一つ以上の切開部２１ｃを有する基布２１’を設け、前記基布２１’の切開部２１ｃの対応切開縁部２１ｄ、２１ｄを連結して切頭円錐状にする。
【００２５】
前記対応切開縁部２１ｄ、２１ｄは裁縫（ｓｅｗｉｎｇ）、熱接着または粘着剤による粘着によって互いに連結する。
【００２６】
環状の弾性部材２２を前記胴体保護部２１の下端縁部に連結する方式は、図５ｃに示すように、従来の如く弾性部材２２を付着布２２ａの内面に位置させ、付着布２２を’コ’字状に内側に折り曲げて付着布２２ａの上下両端の間に胴体保護部２１の円形縁部２１ｂを挿入しながら縫い付けることにより、弾性部材２２を円形縁部２１ｂに構成する。
【００２７】
本発明の帽子傘は、前記胴体保護部２１の内面両側に、着用者の両肩に固定される肩紐２３が設けられている。肩紐２３としては多様な材質からなる所定の長さの紐を使用することができるが、伸縮性を有する紐を使用することが好ましい。肩紐２３はその両端を胴体保護部２１の所定の位置に固定して構成する。
【００２８】
また、本発明の帽子傘は、前記フード部２０の前方開口の上縁と両側縁から前方に一定の長さで顔面保護部２４が延長されており、フード部２０の前方開口の下部を隠すために、一端がフード部２０の前方開口の下方一側に固定されており、他端の裏面に接続部材２５ａが設けられている顎隠し部２５が構成されており、フード部２０の前方開口の下方他側に前記顎隠し部２５の接続部材２５ａと接続する対応接続部材２５ｂが設けられている。
【００２９】
前記顔面保護部２４は雨で顔が濡れることを遮断する機能を有するが、透明な合成樹脂材で形成することが、着用者の視野確保の面で好ましい。
【００３０】
前記顎隠し部２５は、雨が顎の下部に入ることを遮断する。顎隠し部２５の接続部材２５ａ及び対応接続部材２５ｂとしてはマジックテープ（登録商標）、ボタンなどの適切な手段を用いることができる。
【００３１】
そして、本発明の帽子傘は、前記胴体保護部２１の縁部にフック２６が連結具２７によって連結されている。フック２６は鉤部２６ａと鉤部の下端に横方向に設けられた基部２６ｂからなり、連結具２７は所定の広さを有する長方形ビニールの中央に孔を穿設したものであり、その孔にフック２６の鉤部２６ａを貫通させた後、半分に折って下端を胴体保護部２１の縁部、即ち弾性部材２２の内側に縫い付けてフック２６を胴体保護部２１に連結する。
【００３２】
本発明の帽子傘は下記のように製造される。
【００３３】
まず、前記胴体保護部２１及び弾性部材２２は、図５ａ乃至図５ｃに示すように、生地を加工して中央孔２１ａ、円形縁部２１ｂ及び中央孔２１ａから円形縁部２１ｂに行くほど拡張される形状の一定の角度を有する一つ以上の切開部２１ｃを有する基布２１’を形成する工程と、前記基布２１’の切開部２１ｃの対応切開縁部２１ｄ、２１ｄを連結して切頭円錐状の胴体保護部２１を形成する工程と、前記胴体保護部２１の縁部に付着布２２ａによって環状の弾性部材２２を付着させる工程とによって製造される。
【００３４】
基布２１’は、図５ａに示すように切開部２１ｃを１箇所に形成することも、図６に示すように切開部２１ｃを２箇所に形成することもできる。
【００３５】
前述したように、胴体保護部２１の内面には所定の位置に２つの肩紐２３を固定し、胴体保護部２１の縁部には一つのフック２６が連結される。
【００３６】
一方、別途に製造されるフード部２０は、フード部２０の前方開口の上縁及び両側縁には透明ビニールを縫い付けて顔面保護部２４を形成し、前方開口の下方一側には前記接続部材２５ａ付き顎隠し部２５を固定し、前方開口の下方他側には前記顎隠し部２５の接続部材２５ａと接続する対応接続部材２５ｂを取り付ける。
【００３７】
このように顔面保護部２４と顎隠し部２５が備えられたフード部２０の下端と、胴体保護部２１の上端とを縫い付けて互いに連結することにより、本発明の帽子傘が出来上がる。
【００３８】
本発明によれば、金型を用いることなく円錐形状の胴体保護部２１を形成することができるので、製造コストが低くなり、製造時間及び所要の人力を大幅減らすことができる。また、肩紐２３を用いて胴体保護部２１を固定するので、着用時に風に揺れるか、或いは隣接した他人の傘などにぶつかっても揺れることなく安定して着用することができる。そして、フード部２０の顔面保護膜２４及び顎隠し部２５によって顔が雨に濡れず、保管時にも釘などの適切な掛け具にフック２６を掛けて保管することができる。
【００３９】
本発明の帽子傘は、従来の如く、弾性部材２２を小さい直径となるように畳んだ後、胴体保護部２１及び弾性部材２２をフード部２０の内部に入れると、その体積を減らすことができるので、保管及び携帯が便利であるという利点はそのまま維持される。
【００４０】
本発明は、記載された具体例についてのみ詳細に説明したが、本発明の思想と範囲内で様々に変更または変形できるのは、発明の属する技術分野の当業者には明らかなことであろう。
【００４１】
【発明の効果】
上述したように、本発明の帽子傘及びその製造方法は、製造コストを低くし、製造時間を大幅短縮させ、着用時に揺れることなく安定して着用することができ、フード部の前方開口を通して雨に濡れず、保管時にも適切な掛け具に容易に掛けて保管することができるという効果を奏する。
【図面の簡単な説明】
【図１】従来の帽子傘を示す斜視図である。
【図２】図２ａ〜２ｄは、従来の帽子傘の胴体保護部の製造方法を示す工程図である。
【図３】本発明の帽子傘を示す斜視図である。
【図４】本発明の帽子傘を着用した状態を示す一部切開斜視図である。
【図５】図５ａ〜５ｃは、本発明の帽子傘の胴体保護部の製造方法を示す工程図である。
【図６】本発明に係る帽子傘の胴体保護部の材料となる基布の他の実施例を示す平面図である。
【符号の説明】
１　　上型
２　　下型
１０　　フード部
１１　　胴体保護部
１１ａ　　中央孔
１１ｂ　　円形縁部
１２　　弾性部材
１２ａ　　付着布
２０　　フード部
２１　　胴体保護部
２１ａ　　中央孔
２１ｂ　　円形縁部
２１ｃ　　切開部
２１ｄ　　切開縁部
２２　　弾性部材
２２ａ　　付着布
２３　　肩紐
２４　　顔面保護部
２５　　顎隠し部
２５ａ、２５ｂ　　接続部材
２６　　フック
２６ａ　　鉤部
２６ｂ　　基部
２７　　連結具
【図１】
2004027400.tif 000003
【図２】
2004027400.tif 000004
【図３】
2004027400.tif 000005
【図４】
2004027400.tif 000006
【図５】
2004027400.tif 000007
【図６】
2004027400.tif 000008